(57)【要約】  【課題】  スキャナー部は、ユーザーの操作する為に、上部に制約があり、本体ハウジング部には、内蔵する給紙カセットや画像形成の為に必要なプロセスを収納しなければならない為、最低限のスペースが必要である。その為、そのスキャナー部と本体ハウジング部との間のスペース（以下、収容スペースという）が、狭くなり、ユーザーとって、識別しづらいという問題点があった。  【解決手段】  スキャナー部と本体ハウジング部との間にあり、用紙を排出する排出機能を有した第１支柱部を有する画像形成装置において、スキャナー部と本体ハウジング部との間にある用紙収容部を構成する部分の色彩が、その他の部分の色彩よりも暗いことを特徴とする画像形成装置を提供する。【選択図】  図１
2005292854.tif 000002
【特許請求の範囲】
【請求項１】
排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、
スキャナー部と本体ハウジング部との間にある用紙収容部を構成する部分の色彩が、その他の部分の色彩よりも暗く、
用紙収容部は、装置前方の方が広く構成されていることを特徴とする画像形成装置。
【請求項２】
排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、
スキャナー部と本体ハウジング部との間にある用紙収容部を構成する部分の色彩が、その他の部分の色彩よりも暗く、マンセルチャート（JIS）のマンセル値における明度の差が３以上であり、
用紙収容部は、装置前方の方が広く構成されていることを特徴とする画像形成装置。
【請求項３】
スキャナー部と本体ハウジング部との間にある用紙収容部を構成する部分の色彩が、マンセルチャート（JIS）のマンセル値における明度が２以下であることを特徴とする請求項１または請求項２に記載の画像形成装置。
【請求項４】
スキャナー部に設けられた操作部の色彩を、スキャナー部と本体ハウジング部との間にある用紙収容部を構成する部分の色彩と、略同等としたことを特徴とする請求項１から請求項３までのいずれかに記載の画像形成装置。
【請求項５】
排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、
０．６≧Ｌａ／Ｌｂ≧０．３
Lａ：後方に位置する第１支柱部の最前の前方部の位置と前方に位置するそのスキャナー部と本体ハウジング部の最前の前方部の位置との距離
Ｌb：そのスキャナー部の底面と胴内の用紙収容部における用紙排出トレーの最下位置との距離
上記の式を満たすことを特徴とする請求項１から請求項４までのいずれかに記載の画像形成装置。
【請求項６】
排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、
０．８≧Ｌａ／Ｌｃ≧０．６
Lａ：後方に位置する第１支柱部の最前の前方部の位置と前方に位置するそのスキャナー部と本体ハウジング部の最前の前方部の位置との距離
Ｌｃ：そのスキャナー部の底面と胴内の用紙収容部における用紙排出トレーとの間の平均距離
上記の式を満たすことを特徴とする請求項１から請求項５までのいずれかに記載の画像形成装置。
【発明の詳細な説明】
【技術分野】
【０００１】
本発明は、複写機、ファクシミリ、プリンタ等の画像形成装置、特に、排出された用紙を、原稿を読取る為のスキャナー部と、用紙を上部に排出する排出トレーを内蔵した本体ハウジング部との間に収容する画像形成装置（以下、胴内排出型画像形成装置という。）に関する。
【背景技術】
【０００２】
従来、複写機、ファクシミリ、プリンタ等を有する画像形成装置には、複写機能の使用時に排出される転写紙を収容する用紙収容部（排出部）や、ファクシミリ機能又は、プリンタ機能の使用時に排出される受信シートを蓄える為の用紙収容部（排出部）をそなえたものがある。
さらに、その用紙収容部を、原稿を読取る為のスキャナー部と、用紙を上部に排出する排出トレーを内蔵した本体ハウジング部との間に収容する画像形成装置（以下、胴内排出型画像形成装置という。）がある。
【０００３】
【特許文献１】特開２０００−２８９９１７号公報
【発明の開示】
【発明が解決しようとする課題】
【０００４】
しかしながら、上記のような胴内排出型画像形成装置は、スキャナー部と排出トレーを内蔵した本体ハウジング部の間に、用紙が排出される。
しかし、そのスキャナー部は、ユーザーの操作する為に、上部に制約があり、本体ハウジング部には、内蔵する給紙カセットや画像形成の為に必要なプロセスを収納しないといけない為、最低限のスペースが必要である。
その為、そのスキャナー部と本体ハウジング部との間のスペース（以下、収容スペースという）が、狭くなり、ユーザーとって、識別しづらいという問題点があった。
さらに、このような胴内排出型画像形成装置は、胴内排出に空洞がある為に、装置全体が弱そうなイメージがある。
【０００５】
又、スキャナー部、本体ハウジング部、第１支柱部の前方部の色彩が、略同じであった為に、さらに、その収容スペースの視認性が悪かった。
そこで、本件特許発明は、その収容スペースの視認性を向上させて、排出された転写紙を取りやすくし、つまり、ユーザーの操作性を向上させる画像形成装置を提供することにある。
【課題を解決するための手段】
【０００６】
請求項１に記載の発明によれば、排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、スキャナー部と本体ハウジング部との間にある用紙収容部を構成する部分の色彩が、その他の部分の色彩よりも暗く、用紙収容部は、装置前方の方が広く構成されていることを特徴とする画像形成装置を提供するものである。
【０００７】
請求項２に記載の発明によれば、排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、スキャナー部と本体ハウジング部との間にある用紙収容部を構成する部分の色彩が、その他の部分の色彩よりも暗く、マンセルチャート（JIS）のマンセル値における明度の差が３以上であり、用紙収容部は、装置前方の方が広く構成されていることを特徴とする画像形成装置を提供するものである。
【０００８】
請求項３に記載の発明によれば、スキャナー部と本体ハウジング部との間にある用紙収容部を構成する部分の色彩が、マンセルチャート（JIS）のマンセル値における明度が２以下であることを特徴とする請求項１または請求項２に記載の画像形成装置を提供するものである。
【０００９】
請求項４に記載の発明によれば、スキャナー部に設けられた操作部の色彩を、スキャナー部と本体ハウジング部との間にある用紙収容部を構成する部分の色彩と、略同等としたことを特徴とする請求項１から請求項３までのいずれかに記載の画像形成装置を提供するものである。
【００１０】
請求項５に記載の発明によれば、排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、
０．６≧Ｌａ／Ｌｂ≧０．３
Lａ：後方に位置する第１支柱部の最前の前方部の位置と前方に位置するそのスキャナー部と本体ハウジング部の最前の前方部の位置との距離
Ｌb：そのスキャナー部の底面と胴内の用紙収容部における用紙排出トレーの最下位置との距離
上記の式を満たすことを特徴とする請求項１から請求項４までのいずれかに記載の画像形成装置を提供するものである。
【００１１】
請求項６に記載の発明によれば、排出された用紙が収容される用紙収容部と、用紙収容部の下部に位置する本体ハウジング部と、用紙収容部の上部にあり原稿を読み取る為のスキャナー部と、スキャナー部と本体ハウジング部との間にあり、用紙を排出する排出機能を有した第１支柱部とを有する画像形成装置において、
０．８≧Ｌａ／Ｌｃ≧０．６
Lａ：後方に位置する第１支柱部の最前の前方部の位置と前方に位置するそのスキャナー部と本体ハウジング部の最前の前方部の位置との距離
Ｌｃ：そのスキャナー部の底面と胴内の用紙収容部における用紙排出トレーとの間の平均距離
上記の式を満たすことを特徴とする請求項１から請求項５までのいずれかに記載の画像形成装置を提供するものである。
【発明の効果】
【００１２】
請求項１記載の発明により、その収容スペースの影と、スキャナー部と本体ハウジング部との間にある用紙収容部を構成する部分の色彩が略一体となるので、その収容スペースの視認性を向上させて、排出された転写紙を取りやすくし、つまり、ユーザーの操作性を向上させるという効果がある。
【００１３】
請求項２記載の発明により、スキャナー部と本体ハウジング部との間にある用紙収容部を構成する部分の色彩が、その他の部分の色彩よりも暗く、マンセルチャート（JIS）のマンセル値における明度の差が３以上で差が多いことによって、その収容スペースの視認性をより向上させて、排出された転写紙を取りやすくし、つまり、ユーザーの操作性を向上させるという効果がある。
【００１４】
請求項３記載の発明により、スキャナー部と本体ハウジング部との間にある用紙収容部を構成する部分の色彩が、マンセルチャート（JIS）のマンセル値における明度が２以下であることによって、その収容スペースの影と収容スペースに隣接する色彩が一体となるので、その収容スペースの視認性をより向上させて、排出された転写紙を取りやすくし、つまり、ユーザーの操作性を向上させるという効果がある。
【００１５】
請求項４記載の発明により、さらに、スキャナー部に設けられた操作部の色彩を、スキャナー部と本体ハウジング部との間にある用紙収容部を構成する部分の色彩と略同等としたことによって、スキャナー部の全体を把握できるので、その収容スペースの視認性をより向上させて、排出された転写紙を取りやすくし、つまり、ユーザーの操作性を向上させるという効果がある。
【００１６】
請求項５記載の発明により、上記の数式を満たすことで、その収容スペースの影と用紙収容部に隣接する部分の色彩が一体となるので、その収容スペースの視認性を向上させて、排出された転写紙を取りやすくし、つまり、ユーザーの操作性を向上させるという効果がある。
【００１７】
請求項６記載の発明により、上記の数式を満たすことで、その収容スペースの影と用紙収容部に隣接する部分の色彩が一体となるので、その収容スペースの視認性を向上させて、排出された転写紙を取りやすくし、つまり、ユーザーの操作性を向上させるという効果がある。
【発明を実施するための最良の形態】
【００１８】
以下、添付図面に示す具体例に基づいて本発明を説明する。
尚、以下の実施形態は本発明を具体化した一例であって本発明の技術的範囲を限定する性格のものではない。
図１は、本発明にしたがって、胴内排出型画像形成装置を示す一例である。
画像形成装置１００は、基本的に、スキャナー部２００、本体ハウジング部１２０、第１支柱部３００、第２支柱部４００とからなる。
【００１９】
さらに、スキャナー部２００には、操作部２１０が搭載されていて、ユーザーが、操作部２１０に入力することによって、画像形成装置１００の操作を行う。
そして、本体ハウジング部１２０には、排出された用紙を、原稿を読取る為のスキャナー部２００とその用紙を上部に排出する排出トレーを内蔵した本体ハウジング部１２０との間に収容する為の用紙収容部１１０が、本体ハウジング部１２０の上部に備えられている。
【００２０】
さらに、本体ハウジング部１２０の下部には、前カバー１０１、内蔵カセット１２１（第1内蔵カセット１２２、第２内蔵カセット１２３）が、収納されている。
本体ハウジング部１２０とスキャナー部２００との間に、それぞれスキャナー部２００を支える第１支柱部３００、第２支柱部４００がある。
【００２１】
第１支柱部３００は、画像形成装置１００の左側で、本体ハウジング部１２０に立設しながらスキャナー部２００を支えている。
同じく、第２支柱部４００は、画像形成装置１００の後ろ側で、本体ハウジング部１２０に立設しながらスキャナー部２００を支えている。
【００２２】
（Ａ）第１の発明
スキャナー部と本体ハウジング部との間にある用紙収容部を構成する部分の色彩が、その他の部分の色彩よりも濃いことを特徴とする第１の発明を図１，２に基づいて説明する。
スキャナー部と本体ハウジング部との間にある用紙収容部を構成する部分６００を、その他の部分、例えば用紙カセット１２１の色彩より、濃いことを特徴とする発明である。
【００２３】
色彩が濃いということは、例えば、ＪＩＳで定められているマンセル値の値が低く、例えば、Ｎ１〜Ｎ２ぐらいの範囲をいう。
その収容スペース５００の影と用紙収容部を構成する部分６００の色彩が近くなるので、その収容スペース５００の視認性を向上させて、排出された転写紙を取りやすくし、つまり、ユーザーの操作性を向上させるという効果がある。
【００２４】
また、用紙収容部は、装置前方の方が広く構成されているので、より一層、排出された転写紙を取りやすくし、つまり、ユーザーの操作性を向上させるという効果がある。
【００２５】
（Ｂ）第２の発明
スキャナー部と本体ハウジング部との間にある用紙収容部を構成する部分の色彩が、その他の部分の色彩よりも暗く、マンセルチャート（JIS）のマンセル値における明度の差が３以上であることを特徴とする第２の発明を図１，２に基づいて、説明する。
スキャナー部と本体ハウジング部との間にある用紙収容部を構成する部分６００を、その他の部分、例えば用紙カセット１２１の色彩よりも暗く、マンセルチャート（JIS）のマンセル値における明度の差が３以上であることを特徴とする発明である。
【００２６】
その収容スペース５００の影と用紙収容部を構成する部分６００の色彩が近くなり、さらに、その他の部分、例えば用紙カセット１２１とのマンセル値の差が３以上であるので、用紙収容部を構成する部分６００とその他の部分が離れたイメージを受ける為、よりその収容スペース５００の視認性を向上させて、排出された転写紙を取りやすくし、つまり、ユーザーの操作性を向上させるという効果がある。
【００２７】
また、用紙収容部は、装置前方の方が広く構成されているので、より一層、排出された転写紙を取りやすくし、つまり、ユーザーの操作性を向上させるという効果がある。
【００２８】
（Ｃ）第３の発明
スキャナー部と本体ハウジング部との間にある用紙収容部を構成する部分の色彩が、マンセルチャート（JIS）のマンセル値が２以下であることを特徴とする第３の発明を図１，２に基づいて、説明する。
用紙収容部を構成する部分６００の色彩が、マンセルチャート（JIS）のマンセル値が２以下であることを特徴とする発明である。
【００２９】
その収容スペース５００の影と用紙収容部を構成する部分６００の色彩が近くなるので、その収容スペース５００の視認性を向上させて、排出された転写紙を取りやすくし、つまり、ユーザーの操作性を向上させるという効果がある。
【００３０】
（Ｄ）第４の発明
スキャナー部に設けられた操作部の色彩を、スキャナー部と本体ハウジング部との間にある用紙収容部を構成する部分の色彩と、略同等としたことを特徴とする第４の発明を図１、２、３に基づいて、説明する。
操作部２１０を、用紙収容部を構成する部分６００の色彩と略同等としたことを特徴とする発明である。
【００３１】
操作部２１０と用紙収容部を構成する部分６００を、その他の部分、例えば用紙カセット１２１に対して差別化したので、その収容スペース５００と操作部２１０の視認性を向上させて、ユーザーの操作性を向上させるという効果がある。
【００３２】
（Ｅ）第５の発明
０．６≧Ｌａ／Ｌｂ≧０．３
Lａ：後方に位置する第１支柱部の最前の前方部の位置と前方に位置するそのスキャナー部と本体ハウジング部の最前の前方部の位置との距離
Ｌb：そのスキャナー部の底面と胴内の用紙収容部における用紙排出トレーの最下位置との距離
上記の式を満たすことを特徴とする第５の発明を図３，４に基づいて、説明する。
【００３３】
従来、このような胴内排出型画像形成装置では、スキャナー部２００、本体ハウジング部１２０、第１支柱部３００の前方部の位置は、同一若しくは、略同一であり、つまり、ほぼLａ＝０〜３０（ｍｍ）、Ｌb＝２００〜４００（ｍｍ）、Ｌａ／Ｌｂ＝０〜０．１５の範囲である。
さらに、従来は、上記の数式をたてて、その数式を満たす範囲に基づいて、第１支柱部３００の前方部の位置を、設定するという技術思想はなかった。
つまり、（Ｌａ／Ｌｂ）の値で、第１支柱部３００の前方部の最適な位置を決めていなかった。
そこで、上記の数式を満たすことで、操作する状態（図４のア）では、第１支柱部の最前の前方部は見えず、少し離れた状態の位置にいる（図４のイ）時は、第１支柱部の最前の前方部は、はっきりと確認できる位置にある。
【００３４】
例えば、本件特許発明の胴内排出型画像形成装置では、Lａ＝８０（ｍｍ）、Ｌb＝２００（ｍｍ）、Ｌａ／Ｌｂ＝０．４である。
つまり、ユーザーは、操作する状態（図４のア）では、第１支柱部の最前の前方部は見えないため、そのスキャナー部と本体ハウジング部との間に距離を感じることができる。
又、少し離れた状態の位置にいる（図４のイ）では、第１支柱部の最前の前方部はよく見える為、そのスキャナー部と本体ハウジング部との間に一体を感じることができ、装置全体に力強さを感じることができる。
【００３５】
さらに、詳しく説明すると、このような胴内排出型画像形成装置は、胴内排出に空洞がある為に、装置全体が弱そうなイメージがある。
ここで、（Ｌａ／Ｌｂ）≧０．６の場合は、第１支柱部の最前の前方部が、図４のア、イの位置の両方とも、見えなくなる傾向になり、装置全体に強度的な問題が生じる。
又、（Ｌａ／Ｌｂ）≦０．３の場合は、第１支柱部の最前の前方部が、図４のア、イの位置の両方とも、見える傾向になり、スキャナー部２００、本体ハウジング部１２０、第１支柱部３００に一体感がでるので、胴内排出型スペースから、紙が取り出しにくくなる。
【００３６】
（Ｆ）第６の発明
０．８≧Ｌａ／Ｌｃ≧０．６
Lａ：後方に位置する第１支柱部の最前の前方部の位置と前方に位置するそのスキャナー部と本体ハウジング部の最前の前方部の位置との距離
Ｌｃ：そのスキャナー部の底面と胴内の用紙収容部における用紙排出トレーとの間の平均距離
上記の式を満たすことを特徴とする第６の発明を図３、４に基づいて、説明する。
【００３７】
例えば、本件特許発明の胴内排出型画像形成装置では、Lａ＝８０（ｍｍ）、Ｌｃ＝１２０（ｍｍ）、Ｌａ／Ｌｃ＝０．６６７である。
第５の発明と同様に、上記の数式を満たすことで、操作する状態（図４のア）では、第１支柱部の最前の前方部は見えず、少し離れた状態の位置にいる（図４のイ）時は、第１支柱部の最前の前方部は、はっきりと確認できる位置にある。
【００３８】
つまり、ユーザーは、操作する状態（図４のア）では、第１支柱部の最前の前方部は見えないため、そのスキャナー部と本体ハウジング部との間に距離を感じることができる。
又、少し離れた状態の位置にいる（図４のイ）では、第１支柱部の最前の前方部はよく見える為、そのスキャナー部と本体ハウジング部との間に一体を感じることができ、装置全体に力強さを感じることができる。
ここで、（Ｌａ／Ｌｃ）≧０．８の場合は、第１支柱部の最前の前方部が、図４のア、イの位置の両方とも、見えなくなる傾向になり、装置全体に強度的な問題が生じる。
又、（Ｌａ／Ｌｃ）≦０．６の場合は、第１支柱部の最前の前方部が、図４のア、イの位置の両方とも、見える傾向になり、スキャーナ部２００、本体ハウジング部１２０、第１支柱部３００に一体感がでるので、胴内排出型スペースから、紙が取り出しにくくなる。
【図面の簡単な説明】
【００３９】
【図１】本発明の全体図
【図２】本発明の正面図でエリアを示した図
【図３】本発明の正面図で、胴内スペースを示した図
【図４】本発明の右側面図
【符号の説明】
【００４０】
１００  画像形成装置
１０１  前カバー
１２０  本体ハウジング部
１２１  内蔵カセット
２００  スキャナー部
２１０  操作部
３００  第１支柱部
４００  第２支柱部
５００  収容スペース
【図１】
2005292854.tif 000003
【図２】
2005292854.tif 000004
【図３】
2005292854.tif 000005
【図４】
2005292854.tif 000006